(57)【要約】【課題】画像表示手段としてコレステリック液晶を利用した液晶パネルを用いて、デュアルビュー表示を行なう表示装置を実現する。【解決手段】液晶表示装置１は、コレステリック液晶層１３を有し、該コレステリック液晶層の状態を制御することによって表示画像を生成する表示部１０と、表示部１０の前面側に配置され、表示部１０との対向面に反射層２３を有する視差光学部２０とを備えている。表示部１０は、コレステリック液晶層１３が形成されている画素領域と、コレステリック液晶層１３が形成されておらず光が透過可能な透過領域とを交互に備えている。また、視差光学部２０は、表示部１０における透過領域の対向領域に反射層２３が形成されている反射領域を有し、表示部１０における画素領域の対向領域には反射層２３が形成されておらず光が透過可能な透過領域を有している。【選択図】図１
2008242097.tif 000002
【特許請求の範囲】
【請求項１】
コレステリック液晶層を有し、該コレステリック液晶層の状態を制御することによって表示画像を生成する表示部と、
上記表示部の前面側に配置され、上記表示部との対向面に反射層を有する視差光学部とを備えており、
上記表示部は、上記コレステリック液晶層が形成されている画素領域と、上記コレステリック液晶層が形成されておらず光が透過可能な透過領域とを交互に備えており、
上記視差光学部は、上記表示部における透過領域の対向領域に上記反射層が形成されている反射領域を有し、上記表示部における画素領域の対向領域には上記反射層が形成されておらず光が透過可能な透過領域を有していることを特徴とする液晶表示装置。
【請求項２】
上記視差光学部における上記反射層が、コレステリック液晶層により形成されていることを特徴とする請求項１に記載の液晶表示装置。
【請求項３】
上記請求項１または２に記載の液晶表示装置の表示面の一辺に、該表示面に対して角度をなすように配置可能な反射板を備えたことを特徴とする表示装置。
【請求項４】
上記反射板は、上記液晶表示装置に対して着脱可能または可動可能に取り付けられていることを特徴とする請求項３に記載の表示装置。
【発明の詳細な説明】
【技術分野】
【０００１】
本発明は、複数の方向にそれぞれ異なる情報を表示可能な液晶表示装置に関する。
【背景技術】
【０００２】
液晶表示装置等の従来のディスプレイ装置では、表示部に対してどの視認方向から見ても同一の画像が観察されるシングルビュー表示モードが一般的である。近年、このシングルビュー表示モードに加えて、表示部に対して異なる視認方向から観察を行った場合、それぞれの視認方向に対して異なる画像を観察可能とする表示装置が提案されている。特許文献１には、表示部に対して左方向から見た場合と右方向から見た場合とで異なる表示を観察可能とするデュアルビュー表示モード技術が開示されている。
【０００３】
特許文献１におけるデュアルビュー表示を、図５を参照して説明する。図５に示す表示装置１００は、画像表示手段である液晶パネル１０１の前面側（表示面側）にパララックスバリア（視差バリア）１０２を配置したものである。また、液晶パネル１０１の背面側には、バックライト１０３が配置されている。
【０００４】
バックライト１０３から出射され、液晶パネル１０１の特定領域の画素（図中、右下がりの斜線ハッチングにて示す画素）を通過する光は、パララックスバリア１０２によって特定の視野角を与えられ、右側の観察者にのみ視認される。一方、液晶パネル１０１の他の特定領域の画素（図中、右上がりの斜線ハッチングにて示す画素）を通過する光は、パララックスバリア１０２によって特定の視野角を与えられ、左側の観察者にのみ視認される。
【０００５】
バックライト１０３から出射され、液晶パネル１０１を通過する光は、パララックスバリア１０２によって特定の視野角を与えられ、左方向および右方向の少なくともいずれか一方向に出力される。例えば、図５の構成では、領域Ａの画素を透過する光は液晶パネル１０１から図中の右側へ出射され、領域Ｂの画素を透過する光は液晶パネル１０１から図中の左側へ出射される。これにより、領域Ａに対応する画素では画像Ａの表示を行い、領域Ｂに対応する画素では画像Ｂの表示を行えば、表示部に対して異なる視認方向から観察を行った場合にそれぞれの視認方向に対して異なる画像を表示することができる。
【０００６】
シングルビュー表示モードとデュアルビュー表示モードとを備えるディスプレイにおいては、上記画像Ａと画像Ｂとを同じ表示内容にすることで、シングルビュー表示を行うことが可能となる。一方、デュアルビュー表示を行う際は、上記画像Ａと画像Ｂとを異なる表示内容とすることで、２方向に異なる情報を同時に表示することが可能となる。このように、シングルビュー表示モードとデュアルビュー表示モードとの切り換えは、画像Ａと画像Ｂとの表示内容をコントロールすることで実現が可能となる。
【特許文献１】特開２００５−７３０７６号（２００５年３月１７日公開）
【発明の開示】
【発明が解決しようとする課題】
【０００７】
上記特許文献１におけるデュアルビュー表示では、画像表示手段である液晶パネル１０１として、液晶層に電圧を印加することによって光の透過率を制御する、通常の透過型液晶パネルを使用することを想定している。このような透過型液晶パネルでは、表示を維持するためには液晶パネル１０１を駆動し続ける必要があり（液晶層に電圧を印加し続ける必要があり）、表示の間中、電力が消費されることになる。
【０００８】
一方、他の液晶パネルとしては、電源をＯＦＦにしても映像を出力し続けることが可能なメモリ性を有するコレステリック液晶を利用した液晶パネルが知られている。コレステリック液晶を利用した液晶パネルでは、コレステリック液晶をプレーナ状態にして用いると特定の光を選択反射するため、電源をＯＦＦにしても映像を出力し続けることが可能である。このため、デュアルビュー表示においても、画像表示手段としてコレステリック液晶を利用した液晶パネルを使用すれば消費電力の削減を図ることができると考えられる。
【０００９】
しかしながら、上記コレステリック液晶を利用した液晶パネルにパララックスバリアを組み合わせてデュアルビュー表示を達成しようとしても、コレステリック液晶方向に照射される光がパララックスバリアで遮光されるため、選択反射を用いたデュアルビュー表示の実現はできなかった。
【００１０】
本発明は、上記の問題点に鑑みてなされたものであり、その目的は、画像表示手段としてコレステリック液晶を利用した液晶パネルを用いて、デュアルビュー表示を行なう表示装置を実現することにある。
【課題を解決するための手段】
【００１１】
本発明に係る液晶表示装置は、上記課題を解決するために、コレステリック液晶層を有し、該コレステリック液晶層の状態を制御することによって表示画像を生成する表示部と、上記表示部の前面側に配置され、上記表示部との対向面に反射層を有する視差光学部とを備えており、上記表示部は、上記コレステリック液晶層が形成されている画素領域と、上記コレステリック液晶層が形成されておらず光が透過可能な透過領域とを交互に備えており、上記視差光学部は、上記表示部における透過領域の対向領域に上記反射層が形成されている反射領域を有し、上記表示部における画素領域の対向領域には上記反射層が形成されておらず光が透過可能な透過領域を有していることを特徴としている。
【００１２】
上記の構成によれば、画像表示のための光は液晶表示装置の背面、すなわち表示部側から与えられ、表示部の透過領域を抜けた後、視差光学部の反射領域での反射によって折り返され、表示部の画素領域に照射される。表示部の画素領域に照射された光は、該画素領域におけるコレステリック液晶層の状態に応じて選択的に反射または吸収される。表示部の画素領域で反射された光は、視差光学部の透過領域を抜けて液晶表示装置の外部に出力される。この出力された表示光は、表示部および視差光学部の透過領域を抜けて出力されることによって、異なる２方向に特定の視野角を与えられる。
【００１３】
このように、上記液晶表示装置では、装置背面から与えられた光を、表示部および視差光学部での反射によって出力する構成のため、表示光が視差バリアによって遮られることが無くなり、コレステリック液晶を利用した液晶パネルを用いてデュアルビュー表示を行なうことが可能となる。
【００１４】
また、上記液晶表示装置においては、上記視差光学部における上記反射層が、コレステリック液晶層により形成されている構成であっても良い。
【００１５】
上記の構成によれば、反射層は直交する透明電極により制御されるコレステリック液晶層であり、透明電極に印加する電圧の大きさを調整することにより、選択的に反射される光の反射率制御（多階調表示）が可能となる。
【００１６】
更に、表示部を形成するコレステリック液晶層も直交する透明電極に印加する電圧の大きさを調整することで、選択的に反射される光の反射率制御（多階調表示）が可能となる。すなわち、反射層と表示部との両方を制御することで、コレステリック液晶を利用した液晶パネルを用いてより多階調のデュアルビュー表示を行なうことが可能となる。
【００１７】
また、本発明に係る表示装置は、上記液晶表示装置の表示面の一辺に、該表示面に対して角度をなすように配置可能な反射板を備えたことを特徴としている。
【００１８】
上記の構成によれば、上記液晶表示装置からそれぞれ異なる方向に出力される２つの画像のうち、一方の画像は直接観察者に視認され、もう一方の画像は上記反射板によって反射されて観察者に視認される、といった画像の提供方法が可能となる。これにより、上記表示装置では、観察者に対し、上記液晶表示装置の物理サイズの２倍の情報を一度に提供することが可能となる。
【発明の効果】
【００１９】
本発明に係る液晶表示装置は、以上のように、コレステリック液晶層を有し、該コレステリック液晶層の状態を制御することによって表示画像を生成する表示部と、上記表示部の前面側に配置され、上記表示部との対向面に反射層を有する視差光学部とを備えており、上記表示部は、上記コレステリック液晶層が形成されている画素領域と、上記コレステリック液晶層が形成されておらず光が透過可能な透過領域とを交互に備えており、上記視差光学部は、上記表示部における透過領域の対向領域に上記反射層が形成されている反射領域を有し、上記表示部における画素領域の対向領域には上記反射層が形成されておらず光が透過可能な透過領域を有している構成である。
【００２０】
それゆえ、上記液晶表示装置では、装置背面から与えられた光を、表示部および視差光学部での反射によって出力する構成により、表示光が視差バリアによって遮られることが無くなり、コレステリック液晶を利用した液晶パネルを用いて、デュアルビュー表示を行なうことが可能となる。これにより、電源をＯＦＦにしてもデュアルビュー表示を維持できるといった効果を奏する。
【発明を実施するための最良の形態】
【００２１】
〔実施の形態１〕
本発明の一実施形態について図１に基づいて説明すると以下の通りである。先ずは、本実施の形態に係る液晶表示装置の構成を図１を参照して説明する。
【００２２】
図１に示す液晶表示装置１は、大略的に、画像表示部として入射光より特定の色の光を選択反射することが可能なコレステリック液晶層を備える表示部１０と、該表示部１０によって生成される２種類の画像を異なる２方向に分離するための視差光学部２０とを備えて構成されている。また、視差光学部２０は表示部１０に対して前面側（観察者に近い側）に配置されており、表示部１０と視差光学部２０とは、間にスペーサ３０を介して配置されている。
【００２３】
また、表示部１０の背面側には、表示光の生成源となるバックライト（図示せず）が配置される。このバックライトは、液晶表示装置１に含まれるものであってもよく、あるいは、液晶表示装置１に対して外付けされるものであってもよい。
【００２４】
表示部１０は、対をなす透明基板１１および１２との間にコレステリック液晶層１３を有する構成である。透明基板１１上には、表示面の垂直方向に溝を有する凹形状の遮光層１４が形成されており、遮光層１４の溝内には透明電極１５およびコレステリック液晶層１３が形成されている。また、透明基板１２上には透明電極１６が形成されている。
【００２５】
透明電極１６は水平方向を長手方向とする行電極であり、透明電極１５は垂直方向を長手方向とする列電極である。すなわち、透明電極１５と透明電極１６とは、互いに直交するように形成されており、コレステリック液晶層１３は透明電極１５と透明電極１６とに印加される電圧により表示状態が制御される。
【００２６】
すなわち、コレステリック液晶層１３は、透明電極１５と透明電極１６とに印加する電圧により、プレーナ状態、フォーカルコニック状態、およびホメオトロピック状態の何れかの状態を取ることが可能である。プレーナ状態とは特定色の光を選択反射する状態であり、フォーカルコニック状態とは入射光が弱い散乱を受けてコレステリック液晶層１３を透過する状態であり、ホメオトロピック状態とは入射光が弱い散乱を受けることなくコレステリック液晶層１３を透過する状態である。また、プレーナ状態またはフォーカルコニック状態の場合には、透明電極１５およびに電圧を印加しなくても、安定して存在することが可能となる。
【００２７】
透明電極１５及び透明基板１６を用いて印加する電圧を増加させていくと、コレステリック液晶層１３はホメオトロピック状態となる。ここで、急激に電圧を急激にゼロにするとプレーナ状態へ変化する。また、ホメオトロピック状態となったコレステリック液晶層１３に対して、印加されている電圧を徐々にゼロすると、フォーカルコニック状態へ変化する。プレーナ状態の場合は、２色性色素の光吸収により、所望の色（赤、緑または青）を表示することが可能となる。また、フォーカルコニック状態とホメオトロピック状態の場合はコレステリック液晶層１３を光が透過する。透過した光は、遮光層１４で吸収されるため暗表示（黒表示）となる。尚、コレステリック液晶層１３は、印加電圧や印加電圧パルス幅を制御することで光の反射率を制御することが可能であり、これによって中間調を表示することも可能になる。
【００２８】
このように、液晶表示装置１では、表示部１０においてメモリ性を有するコレステリック液晶を利用しているため、表示部１０に対して表示画像を書き込んだ後は、表示部１０における駆動電力をＯＦＦにしても書き込んだ表示画像を維持することができる。このとき、コレステリック液晶層１３は、電源をＯＦＦにしても状態を保持するプレーナ状態若しくはフォーカルコニック状態の何れか一方の状態となるよう透明電極１５及び透明基板１６への電圧の印加を制御する。
【００２９】
表示部１０においては、コレステリック液晶層１３が配置される画素領域と、遮光層１４、透明電極１５、およびコレステリック液晶層１３の何れもが配置されない透過領域とが、表示面の水平方向に沿って交互に形成されている。上記画素領域と上記透過領域とは、２つの画素領域と１つの透過領域とがこの順序で形成されている。また、一つの画素領域と、一つの透過領域とは、水平方向にほぼ同一の幅を有していることが好ましい。
【００３０】
さらに、表示部１０における水平方向の各列においては、１つの透過領域と、この透過領域の両側にある２つの画素領域とが１つのグループを構成する。図１においては、第１のグループと第２のグループとを例示しているが、表示部１０ではこのようなグループが連続的に形成されている。同一グループ内の２つの画素領域においては、コレステリック液晶層１３はともに入射光より同色系の光を選択反射する。例えば、第１のグループにおける画素領域は緑色の光を選択反射し、第２のグループにおける画素領域は青色の光を選択反射するものとする。
【００３１】
続いて、表示部１０の製造方法について説明する。先ず、透明基板１１上に、凹形状の溝部を有する遮光層１４を形成する。このような遮光層１４の形成には、フォトリソグラフィ方法を使用することができる。すなわち、透明基板１１上に感光性高分子物質を塗布し、遮光層１４における側壁部パターンを形成するよう露光現像する。さらに、遮光層１４における底部となるように感光性高分子物質を塗布し、露光により底部を硬化させる。
【００３２】
次に、遮光層１４間の透明基板１１の領域をマスクし、遮光層１４の底部上に透明電極１５を形成する。次に、凹形状の遮光層１４内にコレステリック液晶を滴下注入し、コレステリック液晶層１３を形成する。
【００３３】
また、透明基板１２上には、透明電極１５と直交する方向に、ストライプ状に透明電極１６を形成する。次に、透明基板１１若しくは透明基板１２の少なくとも一方の透明基板周辺部に、図示しないシール剤を塗布する。次に、透明基板１１と透明基板１２とを重ね貼り合せる。更に、紫外線照射若しくは加熱を行ってシール剤を硬化させ、表示部１０を形成する。
【００３４】
次に、視差光学部２０は、対をなす透明基板２１と透明基板２２との間に列形状に形成された反射層２３を有する構成である。反射層２３は、表示部１０との対向面に形成されている。また、前面側の透明基板２１と反射層２３との間には、遮光層２４が形成されていても良い。
【００３５】
視差光学部２０では、反射層２３の形成領域である反射領域と、反射層２３および遮光層２４が形成されていない透過領域とが、表示面の水平方向に沿って交互に形成されている。また、視差光学部２０における反射領域は、表示部１０における透過領域または画素領域とほぼ同一の幅を有している。さらに、視差光学部２０において、透過領域は反射領域の２倍の幅を有していることが好ましい。また、視差光学部２０における反射領域は、表示部１０における透過領域に対向するように配置される。逆に、視差光学部２０における透過領域には、表示部１０における画素領域が対向する。
【００３６】
続いて、液晶表示装置１におけるデュアルビュー表示の表示原理について説明する。
【００３７】
表示部１０への表示画像の書き込みが完了した後、表示部１０に対して図示しないバックライトから表示光を入射する。図１では、表示光Ａ〜Ｄがこれらの光に該当する。入射光ＡおよびＢは第１のグループにおける透過領域を透過し、入射光ＣおよびＤは第２のグループにおける透過領域を透過する。
【００３８】
表示部１０の透過領域を透過した光は、視差光学部２０において対向する反射領域の反射層２３にて反射される。この反射層２３による反射光の大半は、表示部１０の画素領域に照射される（一部は表示部１０の透過領域からバックライト側へ戻る）。表示部１０の画素領域の備えるコレステリック液晶層１３がプレーナ状態の場合、該画素領域で更に光が反射される。また、表示部１０の画素領域の備えるコレステリック液晶層１３がフォーカルコニック状態の場合、該画素領域に照射された光はコレステリック液晶層１３を透過して遮光層１４で吸収されることになる。
【００３９】
第１のグループの画素領域で反射された光Ａ，Ｂは、視差光学部２０において対向する透過領域を透過し、青色光として液晶表示装置１の外部に出射される。同様に、第２のグループの画素領域で反射された光Ｃ，Ｄは、視差光学部２０において対向する透過領域を透過し、緑色光として液晶表示装置１の外部に出射される。
【００４０】
また、第１のグループにおける光Ａと第２のグループにおける光Ｃとは図中の左側へ出射され、第１のグループにおける光Ｂと第２のグループにおける光Ｄとは図中の右側へ出射される。これにより、表示部１０の各グループにおいて、透過領域の左側にある画素領域に対応する画素では第１の画像の表示を行い、透過領域の右側にある画素領域に対応する画素では第２の画像の表示を行えば、表示画面に対して異なる視認方向から観察を行った場合にそれぞれの視認方向に対して異なる画像を表示することができる。
【００４１】
以上のように、本実施の形態に係る液晶表示装置１においては、画像表示のための光は液晶表示装置の背面、すなわち表示部側から与えられ、表示部１０の透過領域を抜けた後、視差光学部２０の反射領域での反射によって折り返され、表示部１０の画素領域に照射される。表示部１０の画素領域に照射された光は、該画素領域におけるコレステリック液晶層１３の状態に応じて選択的に反射または吸収される。表示部１０の画素領域で反射された光は、視差光学部２０の透過領域を抜けて液晶表示装置の外部に出力される。この出力された表示光は、表示部１０および視差光学部２０の透過領域を抜けて出力されることによって、異なる２方向に特定の視野角を与えられる。
【００４２】
このように、液晶表示装置１では、装置背面から与えられた光を、表示部１０および視差光学部２０での反射によって出力する構成のため、表示光が視差バリアによって遮られることが無くなり、コレステリック液晶を利用した液晶パネルを用いてデュアルビュー表示を行なうことが可能となる。
【００４３】
表示部１０における各領域のコレステリック液晶層１３は、電源をＯＦＦにしても状態を維持するプレーナ状態若しくはフォーカルコニック状態のいずれか一方の状態であり、表示部１０で反射された光が視差光学部２０を介して、異なる２方向に同時に出射される。このため、左方向に光を出射する画素領域と、右方向に光を出射する画素領域とに、それぞれ異なる情報を記憶させることによって、液晶表示装置１の電源をＯＦＦにした状態で、デュアルビュー表示を継続することが可能となる。
【００４４】
〔実施の形態２〕
本発明の他の実施形態について図２に基づいて説明すると以下の通りである。ここでは、実施の形態１との相違点のみ説明し、同一の構成については同一の符号を付して詳細な説明を省略する。
【００４５】
図２に示す液晶表示装置２は、大略的に、画像表示部として入射光より特定の色の光を選択反射することが可能なコレステリック液晶層を備える表示部１０と、該表示部１０によって生成される２種類の画像を異なる２方向に分離するための視差光学部４０とを備えて構成されている。また、視差光学部４０は表示部１０に対して前面側（観察者に近い側）に配置されており、表示部１０と視差光学部４０とは、間にスペーサ３０を介して配置されている。すなわち、液晶表示装置２は、図１に示す液晶表示装置１における視差光学部２０を視差光学部４０に代えた構成である。
【００４６】
視差光学部４０は、対をなす透明基板４１と透明基板４２との間にコレステリック液晶層４３を有する構成である。透明基板４１上には、表示面の垂直方向に溝を有する凹形状の遮光層４４が形成されており、遮光層４４の溝内には透明電極４５およびコレステリック液晶層４３が形成されている。また、透明基板４２上には透明電極４６が形成されている。
【００４７】
透明電極４６は水平方向を長手方向とする行電極であり、透明電極４５は垂直方向を長手方向とする列電極である。すなわち、透明電極４５と透明電極４６とは、互いに直交するように形成されており、コレステリック液晶層４３は透明電極４５と透明電極４６とに印加される電圧によりその状態が制御される。
【００４８】
視差光学部４０においては、透明電極４５と透明電極４６とに印加される電圧を制御すしコレステリック液晶層４３をプレーナ状態とすることによって、該コレステリック液晶層４３に視差光学部２０における反射層２３と同等の機能を持たせることができる。
【００４９】
このため、図２に示す液晶表示装置２では、視差光学部４０における反射領域が、プレーナ状態に維持されたコレステリック液晶層４３によって構成される以外は、図１に示す液晶表示装置１と殆ど類似した構成であり、液晶表示装置１と同様の表示原理によってデュアルビュー表示を実現できる。また、視差光学部４０は、実施の形態１で説明した表示部１０の製造方法と同様の方法によって製造することができる。
【００５０】
また、液晶表示装置２では、視差光学部４０における反射領域をプレーナ状態に維持されたコレステリック液晶層４３によって構成することで、コレステリック液晶層４３においても特定の色の光を選択反射することができる。
【００５１】
視差光学部４０における反射領域のコレステリック液晶層４３は直交する透明電極４５と透明電極４６により制御可能であり、印加する電圧の大きさを調整することで、選択的に反射される光の反射率が制御され、多階調表示が可能となる。
【００５２】
また、表示部１０を形成するコレステリック液晶層１３も直交する透明電極１５と透明電極１６により制御可能であり、印加する電圧の大きさを調整することで、選択的に反射される光の反射率が制御され、多階調表示が可能となる。
【００５３】
すなわち、コレステリック液晶層４３での光の反射率と、コレステリック液晶層１３での光の反射率と、を制御することで、より階調の多いデュアルビュー表示を行なうことが可能となる。
【００５４】
例えば、液晶表示装置２の外部環境が明るい場合はコレステリック液晶層４３での光の反射率を高くし、液晶表示装置２で明るい多階調表示が可能となる。液晶表示装置２の外部環境が暗い場合はコレステリック液晶層４３での光の反射率を低くし、液晶表示装置２で暗い多階調表示が可能となる。このように、外部環境の状況に応じて液晶表示装置２の表示をよりきめ細かく制御することが可能であり、使用者の視認性を向上させることが可能となる。
【００５５】
〔実施の形態３〕
本発明の他の実施形態について図３および図４に基づいて説明すると以下の通りである。図３に示す表示装置６０は、実施の形態１において説明した液晶表示装置１と、反射板６１とを備えて構成されている。表示装置６０において、反射板６１は、液晶表示装置１の左端もしくは右端において、液晶表示装置１に対し着脱可能または可動可能となるようにヒンジ部６２を介して取り付けられている。図３は、表示装置６０を上からみた図であり、反射板６１は液晶表示装置１の左端に取り付けられている。また、表示装置６０では、液晶表示装置１の代わりに実施の形態２において説明した液晶表示装置２を用いても良い。
【００５６】
図４（ａ）に示すように、反射板６１はヒンジ部６２により図中I−II間を可動可能となっており、ユーザは、液晶表示装置１と反射板６１との間隔を狭めたり拡げたりすることが可能である。このため、液晶表示装置１による右方向の表示が、それぞれ反射板６１によって全て反射表示されるように、反射表示方向を調整することが可能になる。
【００５７】
図４（ｂ）および図４（ｃ）に示すように、ヒンジ部６２はヒンジ凹部６３とヒンジ凸部６４から構成されており、ヒンジ凹部６３とヒンジ凸部６４とで着脱可能となっている。ヒンジ凹部６３は図４（ｂ）に示すように液晶表示装置１に設けられており、ヒンジ凸部６４は図４（ｃ）に示すように反射板６１に設けられている。液晶表示装置１を見る場合に反射板６１が不要であれば、液晶表示装置１と反射板６１との間隔を拡げたり、反射板６１を液晶表示装置１よりはずしたりすることが可能となる。
【００５８】
液晶表示装置１は、実施の形態１において説明した通りデュアルビュー表示が可能であり、画面の右側に出力する画像と画面の左側に出力する画像とをそれぞれ異なるものとすることができる。
【００５９】
図３に示すように、反射板６１を液晶表示装置１に対して所定の角度で開放した場合、液晶表示装置１から左方向に出力される映像は、画面の向かって右側にいる観察者によって直接視認される。一方、液晶表示装置１から右方向に出力される映像は、反射板６１によって反射が行われ、その反射映像は反射板６１の先にある仮想映像として上記観察者に認識されることになる。このため、反射板６１により反射される反射表示と左方向表示の映像によって、観察者は、液晶表示装置１の物理サイズの２倍の情報を一度に見ることが可能となる。
【００６０】
また、本実施の形態に係る表示装置６０をＴＶの表示装置として使用する場合、反射板６１を用いた物理サイズの２倍表示では、反射板６１の反射表示によって第１のチャンネルの情報を表示し、液晶表示装置１の左側表示によって第２のチャンネルの情報を表示することが可能である。すなわち、２チャンネルの情報を一度に表示することが可能となる。
【００６１】
なお、本発明は上述した実施の形態に限定されるものではなく、請求項に示した範囲で種々の変更が可能であり、実施の形態に開示された技術的手段を適宜組み合わせて得られる実施形態についても本発明の技術的範囲に含まれる。
【産業上の利用可能性】
【００６２】
本発明のディスプレイは、情報機器用ディスプレイ、ＴＶ、車や船舶等の操縦可能な移動体におけるディスプレイとして広く利用可能である。
【図面の簡単な説明】
【００６３】
【図１】本発明の実施形態を示すものであり、実施の形態１に係る液晶表示装置の要部構成を示す図である。
【図２】本発明の実施形態を示すものであり、実施の形態２に係る液晶表示装置の要部構成を示す図である。
【図３】本発明の実施形態を示すものであり、実施の形態３に係る表示装置の要部構成を示す図である。
【図４】図４（ａ）〜（ｃ）は、実施の形態３に係る表示装置において、液晶表示装置と反射板との取り付け部の要部構成を示す図である。
【図５】デュアルビュー表示を行う表示装置において、パララックスバリアによる視野角の付与効果を示す図である。
【符号の説明】
【００６４】
１，２        液晶表示装置
１０          表示部
１３          コレステリック液晶層
１４          遮光層
２０、４０    視差光学部
２３          反射層
２４          遮光層
４３          コレステリック液晶層
４４          遮光層
６０          表示装置
６１          反射板
【図１】
2008242097.tif 000003
【図２】
2008242097.tif 000004
【図３】
2008242097.tif 000005
【図４】
2008242097.tif 000006
【図５】
2008242097.tif 000007